(57)【特許請求の範囲】
【請求項１】
ボディを有するエギに対してその前端から装着される仮面シンカーであって、
上記エギのボディが、その前端部に形成された、前端に向けて断面積が漸減する概ねテーパ状の外形を有するヘッドと、後端部に形成されたテールとを有しており、
前端に向けて断面積が漸減する概ねテーパ状の外形を有し、上記ヘッドに、その前方から着脱可能に被せられるように構成されており、
上記エギのヘッドの左右の面それぞれにわずかに突出した疑似目が形成されており、
前端側に形成された小開口部と、後端側に形成された大開口部と、左右の面それぞれに形成された、大開口部から始まって上記疑似目を取り囲む形状の第一切り欠き部とを有している仮面シンカー。
【請求項２】
ボディを有するエギに対してその前端から装着される仮面シンカーであって、
上記エギのボディが、その前端部に形成された、前端に向けて断面積が漸減する概ねテーパ状の外形を有するヘッドと、後端部に形成されたテールとを有しており、
前端に向けて断面積が漸減する概ねテーパ状の外形を有し、上記ヘッドに、その前方から着脱可能に被せられるように構成されており、
上記エギのヘッドの下面に、前後方向に延び且つ下方に突出した板状の重錘が形成されており、
前端側に形成された小開口部と、後端側に形成された大開口部と、下面に形成された、大開口部から始まって板状の重錘を取り囲む形状の第二切り欠き部とを有している仮面シンカー。
【請求項３】
上記エギのヘッドの下面に、前後方向に延び且つ下方に突出した板状の重錘が形成されており、
下面に形成された、大開口部から始まって板状の重錘を取り囲む形状の第二切り欠き部を有している請求項１に記載の仮面シンカー。
【請求項４】
上記エギのヘッドの形状とほぼ相似の外形状を有している請求項１から３のいずれかに記載の仮面シンカー。
【請求項５】
シート状の鉛又は鉛合金から形成されている請求項１から４のうちのいすれかに記載の仮面シンカー。
【請求項６】
前端部にヘッドを有するとともに後端部にテールを有するボディと、上記ヘッドにその前方から着脱可能に被せられる仮面シンカーとを備えたエギであって、
この仮面シンカーが、請求項１から５のうちのいずれか一に記載の仮面シンカーであるエギ。
【発明の詳細な説明】
【技術分野】
【０００１】
本発明は、イカ釣りに用いられるエギ（疑似餌）、及び、このエギに用いられる仮面シンカーに関する。
【背景技術】
【０００２】
「エギング」と称されるイカ釣りが、盛んに行われている。このイカ釣りには、図４（ａ）に示されるようなエギ５１が用いられる。エギ５１は、典型的には、ボディ５２と、ボディ５２の前端に取り付けられたアイ５３と、ボディ５２の後端に取り付けられた針部５４と、前端近くの下端に固定された板状の重錘（板重錘という）５５と、ヒレ５６とを備えている。ボディ５２は木又は合成樹脂から形成されており、エビに似た形態を備えている。アイ５３にはラインが結ばれる。重錘５５には、糸重錘を係止するための二つの貫通孔５７が形成されている。
【０００３】
キャストされ、着水したエギ５１は、海底に向かって沈降する。この動作は「フォール」と呼ばれている。エギ５１が海底に到達したと予想される頃に、釣竿が上下されることがある。その度にエギが海底をたたくこととなる。この動作は、主としてエギが海底に到達したことの確認やイカを誘うために行われる。この底をたたく動作は「バンピング」と称されている。釣竿が大きく上方にしゃくられると、ラインに引っ張られてエギ５１は高速で上方へと移動する。この動作は「ジャンプ」と称されている。ラインが巻かれつつ竿先が左右に連続的に動かされると、エギ５１はジグザグに移動する。この動作は「ダート」と称されている。これらの動作により、イカはエギ５１をベイトと勘違いし、エギ５１に抱きつく。このとき、イカに針部５４が引っかかり、イカが釣り上げられる。
【０００４】
エギ５１の沈降姿勢は、その質量と重心位置とに大きく依存する。重心が後寄り（テール５９寄り）のエギ５１は、ヘッド５８とテール５９とが水平を保ちつつ沈降する。一方、重心が前寄り（ヘッド５８寄り）のエギ５１は、テール５９よりもヘッド５８が下に位置しつつ沈降する。エギ５１の沈降速度も、その重心位置に大きく依存する。重心が後寄りのエギ５１は、ゆっくりと沈降する。一方、重心が前寄りのエギ５１は、速く沈降する。上記バンピングを行う場合、エギ５１の重心は前寄りの位置に存在する必要がある。
【０００５】
この目的のために、さらなる重錘がヘッド５８側に取り付けられることがある。図４（ｂ）では、この追加の重錘として、アイ５３にぶら下げられた、いわゆる「ナス重錘」６０が例示されている。ジグザグに移動するときの、幅（以下「ダート幅」と称される）やルアーの姿勢等も、エギ５１の質量及び重心位置に大きく依存する。上記したナス重錘６０がボディ２の前端にぶら下がったエギ１では、効果的なダートが行われることが困難である。ダート時の水の抵抗が大きく、重心位置の変動も生じるからである。
【０００６】
潮の流れの強さ及び方向、水深、水温、イカの活性、エギに与える動作等の状況に応じ、釣り人は、質量及び重心位置が適切なエギ５１を選択する。釣り人は、質量及び重心位置の異なる複数のエギ５１を準備しなければならない。このことは、釣り人にとって負担である。
【０００７】
一方、特開２００５−２１８３３１公報に開示されているように、糸重錘を板重錘（上記図４における符号５５）の係止用貫通孔（上記図４における符号５７）に複数回通して取り付ける方法も知られている。この方法では、釣り人にとって厄介な作業が必要となる。しかも、糸重錘の取り付け長さに制限が生じる。
【先行技術文献】
【特許文献】
【０００８】
【特許文献１】特開２００５−２１８３３１公報
【発明の概要】
【発明が解決しようとする課題】
【０００９】
本発明は、使用時の水の抵抗が少なく、重心位置のチューニングが容易であるエギ、例えば、バンピングが支障なく行われうると共に、ダートも適正に行われうるようなエギを提供することを目的としている。さらに、このエギに用いられる仮面シンカーを適用することをも目的としている。
【課題を解決するための手段】
【００１０】
本発明に係る仮面シンカーは、
ボディを有するエギに対してその前端から装着されるシンカーであって、
上記エギのボディが、その前端部に形成された、前端に向けて断面積が漸減する概ねテーパ状の外形を有するヘッドと、後端部に形成されたテールとを有しており、
この仮面シンカーは、前端に向けて断面積が漸減する概ねテーパ状の外形を有し、上記ヘッドに、その前方から着脱可能に被せられるように構成されている。
【００１１】
かかる構成のシンカーは、ヘッドの前方から被せられて使用されるものなので、装着が容易である。また、このシンカーは、装着対象のヘッドと同様に、前方に向けて断面積が漸減する概ねテーパ状の外形を有しているので、使用時の水の抵抗が少ない。種々の肉厚のシンカー、種々の長さのシンカー、を用意しておけば、チューニングも容易となる。
【００１２】
上記エギのヘッドの形状とほぼ相似の外形状を有しているのが好ましい。このシンカーを装着したときのエギの外形が、未装着時の外形と形状的な差異がなく、水の抵抗の増加も一層抑制されるからである。
【００１３】
上記エギのヘッドの左右の面それぞれにわずかに突出した疑似目が形成されている場合、上記仮面シンカーは、前端側に形成された小開口部と、後端側に形成された大開口部と、左右の面それぞれに形成された、大開口部から始まって上記疑似目を取り囲む形状の第一切り欠き部とを備えるのが好ましい。シンカーと疑似目との干渉が回避され、さらに、この第一切り欠きの存在により、ヘッドへの装着時に上記大開口部の大きさがわずかに調整されうるからである。
【００１４】
上記エギのヘッドの下面に、前後方向に延び且つ下方に突出した板状の重錘が形成されている場合、上記仮面シンカーは、前端側に形成された小開口部と、後端側に形成された大開口部と、下面に形成された、大開口部から始まって板状の重錘を取り囲む形状の第二切り欠き部とを備えるのが好ましい。シンカーと板状の重錘との干渉が回避され、さらに、この第二切り欠きの存在により、ヘッドへの装着時に上記大開口部の大きさがわずかに調整されうるからである。
【００１５】
製造容易及び変形容易の観点から、上記シンカーはシート状の鉛又は鉛合金から形成されているのが好ましい。
【００１６】
本発明に係るエギは、
前端部にヘッドを有するとともに後端部にテールを有するボディと、上記ヘッドにその前方から着脱可能に被せられる仮面シンカーとを備えたエギであって、
この仮面シンカーが、前述したうちのいずれか一の仮面シンカーである。
【発明の効果】
【００１７】
本発明に係るエギは、本発明の仮面シンカーが装着されることにより、使用時の水の抵抗が少なく、重心位置のチューニングが容易である。このエギは、例えば、バンピングが支障なく行われうると共に、ダートも適正に行われうる。
【図面の簡単な説明】
【００１８】
【図１】図１（ａ）は、本発明に係るエギの一実施形態を示す正面図であり、図１（ｂ）はその底面図である。
【図２】図２は、図１のエギに装着された、本発明に係る仮面シンカーの一実施形態を示す斜視図である。
【図３】図３は、図１（ａ）のIII−III線に沿った断面図である。
【図４】図４（ａ）は、従来のエギの一例を示す正面図であり、図４（ｂ）は、従来のエギの他の例の一部を示す正面図である。
【発明を実施するための形態】
【００１９】
以下、適宜図面が参照されつつ、実施形態に基づいて本発明が詳細に説明される。
【００２０】
図１に示されたエギ１は、ボディ２と、それぞれがボディ２に取り付けられた板状の重錘（以下、板重錘という）３、ヒレ４、アイ５及び針部６とを備えている。この明細書において「前後」を言う場合は、図１における左側がエギ１の前側とし、右側がエギ１の後側とする。また、「上下」については、ボディ２側が上側とし、板重錘３側を下側とする。
【００２１】
ボディ２の形状は、エビに類似している。従って、ボディ２の横断面は、上部がやや尖った概ね長円形を呈している。ボディ２は、ヘッド７及びテール８を有している。ボディ２は、木又は合成樹脂からなる。ボディ２の表面が、着色されてもよい。ボディ２の表面に、模様が画かれてもよい。着色や模様は、イカに対するアピールに寄与する。ボディ２にはクロスが巻かれているため、表面がザラザラしている。このクロスには色彩が施されたり模様が画かれてもよい。
【００２２】
ヘッド７は、その前端に向けて断面積が漸減した概ねテーパ状の外形を有している。ヘッド７の左右両面には疑似目９が形成されている。この疑似目９はわずかに外方に膨出するように概ね部分球形を呈している。ヒレ４は合成樹脂等からなる。ヒレ４は羽毛状である。ヒレ４は、ボディ２に、接着剤等の手段によって接合されている。ヒレ４はイカに対するアピールに寄与する。ヒレ４は天然の羽毛から形成されてもよい。
【００２３】
アイ５はボディ２の前端に位置する。アイ５は、金属線が曲げられて形成されている。金属線の後端は、ボディ２に埋め込まれており、ボディ２に堅固に固定されている。このアイ５には、ラインが結ばれる。
【００２４】
針部６はボディ２の後端に位置する。針部６は前針１０及び後針１１を有している。多数の前針１０が、放射状に配列され、前方に向かって延びている。多数の後針１１が、放射状に配列され、前方に向かって延びている。前針１０及び後針１１は先細り形状である。イカがエギ１に抱きついたとき、イカの触手が前針１０又は後針１１に引っ掛かる。これにより、イカが釣り上げられる。
【００２５】
板重錘３はボディ２の前部の下面に突設されている。板重錘３は、海水の比重及びボディ２の比重のいずれよりも大きな比重を有する。板重錘３の典型的な材質は、鉛、鉛合金及びタングステン合金である。板重錘３は板状を呈している。板重錘３には、ボディ２に巻き付けられる糸重錘を係止するための貫通孔１２が形成されている。
【００２６】
ボディ２には、そのヘッド７の先端からカバー状の重錘１３が着脱可能に被せられている。このカバー状の重錘１３は、ヘッド７に被せるように装着されるので、以下、仮面シンカー１３と呼ぶ。この仮面シンカー１３は、海水の比重及びボディ２の比重のいずれよりも大きな比重を有する。仮面シンカー１３は、シート状の鉛、鉛合金等から形成されるのが好ましい。
【００２７】
図２も併せて参照すれば明らかなように、仮面シンカー１３は、上記ヘッド７の外形に相似し、その前端に向けて断面積が漸減した概ねテーパ状の外形を有している。従って、水中でのエギ１のアクション時に生じる水の抵抗は、この仮面シンカー１３を装着することによってはほとんど増大することがない。その結果、のエギ１に対し、問題なくダートが行われうる。しかも、この仮面シンカー１３の装着により、重心がエギ１のヘッド側に移動するので、バンピングも問題なく行われうる。仮面シンカー１３は、前端の小さい開口部（小開口部）１４と、後端の大きい開口部（大開口部）１５とを有している。仮面シンカー１３は、その大開口部１５から上記ヘッド７に嵌合される。このとき、上記アイ５が仮面シンカー１３の小開口部１４から前方に突出する。
【００２８】
図３に示されるように、仮面シンカー１３は、ヘッド７に装着されたとき、その内面がヘッド７の外面に概ね密着する。前述したように、ボディ２の表面はクロスによってザラザラしているため、ヘッド７に密着状態で嵌着された仮面シンカー１３は、容易に抜け外れることはない。また、仮面シンカー１３がヘッド７に装着された後、その大開口部１５の近傍を手指等によって過締め付けることにより、脱落が防止されうる。又は、装着前に、手指等によって仮面シンカー１３の大開口部１５の近傍がわずかに変形させられておくことにより、しっかりとヘッド７に嵌着されうる。この仮面シンカー１３は、既存のエギにも装着されうる。
【００２９】
図１及び図２に示されるように、仮面シンカー１３には、その大開口部１５から前方に向けて、２種類の切り欠き１６、１７が形成されている。一つは、仮面シンカー１３から上記疑似目を露出させるための第一切り欠き１６であり、もう一つは、仮面シンカー１３と板重錘３との干渉を避けるための第二切り欠き１７である。
【００３０】
第一切り欠き１６は、仮面シンカー１３の左右両面に形成されている。ヘッド７に装着されたときの仮面シンカー１３の、上記疑似目９に対応する部位に、ほぼ円形状に切り抜かれた円形窓部１６ａが形成されている。この円形窓部１６ａのサイズは疑似目よりやや大きい。仮面シンカー１３において、円形窓部１６ａから大開口部１５へと連通するように、後方へやや斜め上方に向けて、疑似目９の通過路１６ｂが切り欠かれている。この通過路１６ｂの幅は疑似目９の直径とほぼ同じ寸法である。このような第一切り欠き１６の形状により、ヘッド７に装着されている仮面シンカー１３に対し、真っ直ぐ前方へ外力が加わっても、疑似目９が切り欠き１６に引っ掛かり、仮面シンカー１３が容易に抜け外れることはない。
【００３１】
第二切り欠き１７は、仮面シンカー１３の底面に形成されている。ヘッド７に装着されたときの仮面シンカー１３の、板重錘３に対応する部位が、ほぼＵ字状に切り欠かれている（図１（ｂ））。以上の第一切り欠き１６及び第二切り欠き１７の存在は、仮面シンカー１３のヘッド７への嵌着に対するわずかなフレキシビリティを与える。すなわち、仮面シンカー１３が、適正なサイズよりわずかに大きいエギに装着される際には、これらの切り欠き１６、１７がわずかに開く。また、適正なサイズよりわずかに小さいエギに装着される際には、手指等により、これらの切り欠き１６、１７が閉じられる方向の外力が加えられればよい。
【００３２】
仮面シンカー１３の肉厚さは、製造容易の観点からは均一であるのが好ましい。ヘッド７に装着されたときの、仮面シンカー１３の大開口部１６の周縁と、ヘッド７の表面との段差を小さくするために、大開口部１６の周縁の肉厚が、後方に向けて漸減するように形成されてもよい。エギ１の重心位置の調整のために、仮面シンカー１３の前後方向における所望の部分の肉厚が、他の部分の肉厚より厚くされたり薄くされたりしてもよい。
【００３３】
仮面シンカー１３の前後方向の長さには限定はない。図１に示されるものより、さらに後方に延びる長い仮面シンカーであってもよい。例えば、その後端が、ヒレ４の付け根近くに位置する長さの仮面シンカーであってもよい。又は、ヒレ４の付け根との干渉を回避するための切り欠きが形成されたうえで、さらに長くされた仮面シンカーであってもよい。仮面シンカーの表面は、色彩が施されたり、模様が描かれてもよい。例えば、エギ１のボディ２の表面の色彩や模様と同様の色彩や模様が施されてもよい。
【産業上の利用可能性】
【００３４】
本発明に係るエギは、その重心位置のチューニングが必要とされるような釣り、例えば、バンピング及びダートを共に行うような釣りに好適である。
【符号の説明】
【００３５】
１・・・エギ
２・・・ボディ
３・・・板重錘
４・・・ヒレ
５・・・アイ
６・・・針部
７・・・ヘッド
８・・・テール
９・・・疑似目
１０・・・前針
１１・・・後針
１２・・・貫通孔
１３・・・仮面シンカー
１４・・・小開口部
１５・・・大開口部
１６・・・第一切り欠き
１７・・・第二切り欠き
【図１】
0005615014.tif 000002
【図２】
0005615014.tif 000003
【図３】
0005615014.tif 000004
【図４】
0005615014.tif 000005